(57)【特許請求の範囲】
【請求項１】
制作されたコンテンツに電子透かしを埋め込み、該コンテンツについての放送配信出力を受信して電子透かしを検出し、該電子透かしから得られた情報に基づいてテレビ放送監視を行う放送配信監視システムにおいて、
制作されたコンテンツにコンテンツのＩＤもしくはコンテンツのＩＤおよびスポンサーを示す制作時属性情報を電子透かしで埋め込む制作時属性情報埋め込み手段と、
電子透かしで埋め込まれた制作時属性情報を備えた前記コンテンツについて放送配信番組を生成する放送番組生成手段と、
生成された放送番組の放送配信時に、放送局、放送日、放送時刻、放送時間およびコンテンツＩＤを含めた放送時属性情報を電子透かしで、電子透かしで埋め込まれた制作時属性情報に追記する形で埋め込む放送時電子透かし埋め込み手段と、
制作時属性情報および放送時属性情報が電子透かしで埋め込まれた放送配信情報受信する受信手段と、
受信した放送配信情報から電子透かしを抽出して制作時属性情報および放送時属性情報を抽出する属性情報抽出手段と、
抽出された制作時属性情報および放送時属性情報から制作時および放送時のコンテンツＩＤが一致したコンテンツについての放送時の放送時情報を含めたコンテンツ一致検証結果情報を取得する放送検証情報取得手段と、
を備えて構成されることを特徴とする放送配信監視システム。
【請求項２】
請求項１において、前記制作されたコンテンツはテレビコマーシャル（ＣＭ）または放送番組であって、該テレビコマーシャルまたは番組に制作時属性情報が電子透かしで埋め込まれ、かつ該テレビコマーシャルまたは番組に放送時属性情報が電子透かしで埋め込まれた制作時属性情報に追記する形で埋め込まれることを特徴とする放送配信監視システム。
【請求項３】
請求項１または２において、放送時属性情報を制作時属性情報に追記する形は、コンテンツを構成する画像フレームを分割した時分割方式で、コンテンツを構成する画像フレームをフレーム内領域分割した領域分割方式で、周波数分割方式で、輝度／色分割方式で追記されることを特徴とする放送配信監視システム。
【請求項４】
請求項１から３のいずれかにおいて、放送形態情報取得手段が制作時属性情報を備えたコンテンツおよび放送時属性情報を備えたコンテンツを含む放送形態情報を取得し、取得された双方のコンテンツのコンテンツＩＤが一致すると、放送形態情報に基づいて、テレビコマーシャル（ＣＭ）についての放送チャンネル、放送日、放送時間、ＣＭ秒数、コンテンツとしての動画の内容である広告ＣＭ素材の内容およびコンテンツ一致性を示す検討結果を表示するＣＭ放送確認書作成手段とを備えることを特徴とする放送配信監視システム。
【請求項５】
制作されたコンテンツにコンテンツのＩＤもしくはコンテンツのＩＤおよびスポンサーを示す制作時属性情報を電子透かしで埋め込む制作時属性情報埋め込み手段と、
電子透かしで埋め込まれた制作時属性情報を備えた前記コンテンツについて放送配信番組を生成する放送番組生成手段と、
生成された放送番組の放送配信時に、放送局、放送日、放送時刻、放送時間およびコンテンツＩＤを含めた放送時属性情報を電子透かしで、電子透かしで埋め込まれた制作時属性情報に追記する形で埋め込む放送時電子透かし埋め込み手段と、を備えた放送配信監視システムの放送検証情報取得装置において、
制作時属性情報および放送時属性情報が電子透かしで埋め込まれた放送配信情報受信する受信手段と、
受信した放送配信情報から電子透かしを抽出して制作時属性情報および放送時属性情報を抽出する属性情報抽出手段と、
抽出された制作時属性情報および放送時属性情報から制作時および放送時のコンテンツＩＤが一致したコンテンツについての放送時の放送時情報を含めたコンテンツ一致検証結果情報を取得する放送検証情報取得手段と、
を備えて構成されることを特徴とする放送配信監視システムの放送検証情報取得装置。
【請求項６】
請求項５において、前記放送検証情報取得手段は、ＣＭの放送確認に際して放送時情報として放送事業者、放送日、ＣＭ秒数、ＣＭコード、ＣＭ素材の内容の各項目を含め、同一性検証結果を示す内容検証項目を含めて画面表示もしくは放送確認報告書を作成することを特徴とする放送配信監視システムの放送検証情報取得装置。
【請求項７】
制作されたコンテンツに電子透かしを埋め込み、該コンテンツについての放送配信出力を受信して電子透かしを検出し、該電子透かしから得られた情報に基づいて放送配信監視を行う放送配信監視システムを使用した放送配信監視方法において、
制作時属性情報埋め込み手段によって、制作されたコンテンツにコンテンツのＩＤもしくはコンテンツのＩＤおよびスポンサーを示す制作時属性情報を電子透かしで埋め込み、
放送番組生成手段によって、電子透かしで埋め込まれた制作時属性情報を備えた前記コンテンツについて放送配信番組を生成し、
放送時電子透かし埋め込み手段によって、生成された放送番組の放送配信時に、放送チャンネル、放送日、放送時刻、放送時間およびコンテンツＩＤを含めた放送時属性情報を電子透かしで、電子透かしで埋め込まれた制作時属性情報に追記する形で埋め込み、
受信手段によって、制作時属性情報および放送時属性情報が電子透かしで埋め込まれたテレビ放送情報を受信し、
属性情報抽出手段によって、受信したテレビ放送情報から電子透かしを抽出して制作時属性情報および放送時属性情報を抽出し、
放送検証情報取得手段によって、抽出された制作時属性情報および放送時属性情報から制作時および放送時のコンテンツＩＤが一致したコンテンツについての放送時の放送時情報を含めたコンテンツ一致検証結果を取得する
ことを特徴とする放送配信監視方法。
【請求項８】
制作時属性情報埋め込み手段によって、制作されたコンテンツにコンテンツのＩＤもしくはコンテンツのＩＤおよびスポンサーを示す制作時属性情報を電子透かしで埋め込み、
放送番組生成手段によって、電子透かしで埋め込まれた制作時属性情報を備えた前記コンテンツについて放送配信番組を生成し、
放送時電子透かし埋め込み手段によって、生成された放送番組の放送配信時に、放送チャンネル、放送日、放送時刻、放送時間およびコンテンツＩＤを含めた放送時属性情報が電子透かしで、電子透かして埋め込まれた制作時属性情報に追記する形で埋め込み、を備えた放送検証情報取得方法において、
受信手段によって、制作時属性情報および放送時属性情報が電子透かしで埋め込まれた放送配信情報受信し、
属性情報抽出手段によって、受信した放送配信情報から電子透かしを抽出して制作時属性情報および放送時属性情報を抽出し、
放送検証情報取得手段によって、抽出された制作時属性情報および放送時属性情報から制作時および放送時のコンテンツＩＤが一致したコンテンツについての放送時の放送時情報を含めたコンテンツ一致検証結果を取得する
ことを特徴とする放送検証情報取得方法。
【請求項９】
請求項８において、前記放送検証情報取得手段によって、ＣＭの放送確認に際して放送時情報として放送事業者、放送日、ＣＭ秒数、ＣＭコード、ＣＭ素材の内容の各項目を含め、同一性検証結果を示す内容検証項目を含めて画面表示もしくは放送確認報告書が作成されることを特徴とする放送検証情報取得方法。
【発明の詳細な説明】
【技術分野】
【０００１】
本発明は、放送配信監視システム（装置）および監視方法、並びに放送情報取得装置および取得方法に関する。
【背景技術】
【０００２】
広告主であるスポンサーと広告代理店との間でテレビコマーシャル（広告，ＣＭ）枠売買がなされ、これに基づいて広告代理店はＣＭ制作会社にＣＭの制作を依頼する。また、広告代理店とテレビ局との間ではＣＭ枠売買がなされる。テレビ局は、番組制作会社に番組の制作を依頼し、制作された番組にＣＭをつけて視聴者に向けて放送を行う。放送されたＣＭあるいは番組について放送検証機関はＣＭ放送状況、番組放送状況を抽出し、解析することを行っている。
【０００３】
これらのシステムにおいて、広告代理店あるいはスポンサー（以下、スポンサーという）にあっては、テレビ局と契約したＣＭ枠において、正しい時間と正しい回数、ＣＭが放送されたことを確認したいという願望がある。
一方、著作者にとっては、放送番組（著作物）の不正利用を検知したいとの願望がある。
【０００４】
特許文献１には、広告に電子透かしを埋め込んで放送し、この放送を受信して電子透かしを検出することにより、ある広告が何時、どれだけの時間放送されたかを監視する放送内容の監視装置が記載されている。
【０００５】
特許文献２には、データに電子透かしを付与するタイミングを任意に設定できるようにして、例えばデータを登録するタイミング、データを通信するタイミング、データを出力するタイミングを任意に設定できるようにした情報処理装置が記載されている。
【０００６】
特許文献３には、透かしをリアルタイムでデジタル画像に組み込むことができ、透かしのサイズを変化させるハーフトーンスクリーンへの透かし情報の埋め込みを提供することが記載されている。
【０００７】
特許文献４には、第１の透かし情報を電子透かしとして埋め込む第１の電子透かし埋め込み手段と、その電子透かしが加工耐性を持つ画像変換の範囲で第１の透かし情報を付加する簡易型電子透かし埋め込み手段と、簡易型電子透かしで埋め込まれた第1の透かし情報を抽出する手段と、第１の透かし情報と第２の透かし情報を合成して第３の透かし情報を作成する透かし情報加工手段と、第３の透かし情報を電子透かしとして埋め込む第２の電子透かし埋め込み手段を持つデジタルコンテンツの配信に係る著作権を保護することを特徴とする著作権保護方法並びに装置を提供することが記載されている。
【０００８】
【特許文献１】特開２００６−２２９５０８号公報
【特許文献２】特開２０００−１１５５１７号公報
【特許文献３】特開２００６−２１１６５８号公報
【特許文献４】特開２００２−２４７３４２号公報
【発明の開示】
【発明が解決しようとする課題】
【０００９】
特許文献１に示されるように、ＣＭに電子透かしを埋め込んで放送し、放送を受信して電子透かしを検出することによって、あるＣＭを放送した特定の放送配信者について何時、どれだけの時間放送されたかを監視することが可能であるが、アナログ放送、デジタル放送、ワンセグ放送、インターネット配信等、複数のメディアについて当該広告がいつ、どれだけの時間放送されたかを抽出、解析するには大変な手間と労力を要する。
また、放送配信者から放送したコンテンツについて、映像素材（コンテンツの一部）が不正使用者によって流用する可能性を含めて、不正にコピーされ二次利用される危険性がある。
【００１０】
本発明は、かかる点に鑑みて放送配信者から放送したコンテンツが、いずれの放送配信者からいつ放送されたものであるかを簡便に抽出し、解析し、各種コンテンツの同一性検証を容易にできるようにすることを目的とする。
【００１１】
本発明は、より具体的には同一性検証されたＣＭを放送した放送配信者の特定、ＣＭが何時、どれだけの時間放送されたかを簡便に監視できるようにすることを目的とする。
【００１２】
本発明は、更により具体的には放送配信者から放送したコンテンツ（番組あるいはＣＭ、双方を含む）について、過去の映像素材を不正使用者が流用する可能性をなくすことを含めて、不正にコピーされ二次利用される危険性をなくすことにある。
【課題を解決するための手段】
【００１３】
本発明は、制作されたコンテンツに電子透かしを埋め込み、該コンテンツについての放送配信出力を受信して電子透かしを検出し、該電子透かしから得られた情報に基づいてテレビ放送監視を行う放送配信監視システムにおいて、
制作されたコンテンツにコンテンツのＩＤもしくはコンテンツのＩＤおよびスポンサーを示す制作時属性情報を電子透かしで埋め込む制作時属性情報埋め込み手段と、
電子透かしで埋め込まれた制作時属性情報を備えた前記コンテンツについて放送配信番組を生成する放送番組生成手段と、
生成された放送番組の放送配信時に、放送局、放送日、放送時刻、放送時間およびコンテンツＩＤを含めた放送時属性情報が電子透かしで、電子透かして埋め込まれた制作時属性情報に追記する形で埋め込む放送時電子透かし埋め込み手段と、
制作時属性情報および放送時属性情報が電子透かしで埋め込まれた放送配信情報受信する受信手段と、
受信した放送配信情報から電子透かしを抽出して制作時属性情報および放送時属性情報を抽出する属性情報抽出手段と、
抽出された制作時属性情報および放送時属性情報から制作時および放送時のコンテンツＩＤが一致したコンテンツについての放送時の放送時情報を含めたコンテンツ一致検証結果情報を取得する放送検証情報取得手段と、
を備えて構成されることを特徴とする放送配信監視システムを提供する。
【００１４】
本発明は、また、前記制作されたコンテンツはテレビコマーシャル（ＣＭ）または放送番組であって、該テレビコマーシャルまたは番組に制作時属性情報が電子透かしで埋め込まれ、かつ該テレビコマーシャルまたは番組に放送時属性情報が電子透かしで埋め込まれた制作時属性情報に追記する形で埋め込まれることを特徴とする放送配信監視システムを提供する。
【００１５】
本発明は、また放送時属性情報を制作時属性情報に追記する形は、コンテンツを構成する画像フレームを分割した時分割方式で、コンテンツを構成する画像フレームをフレーム内領域分割した領域分割方式で、周波数分割方式で、輝度／色分割方式で追記されることを特徴とする放送配信監視システムを提供する。
【００１６】
本発明は、また、前記放送形態情報取得手段が制作時属性情報を備えたコンテンツおよび放送時属性情報を備えたコンテンツを含む放送形態情報を取得し、取得された双方のコンテンツのコンテンツＩＤが一致すると、放送形態情報に基づいて、テレビコマーシャル（ＣＭ）についての放送チャンネル、放送日、放送時間、ＣＭ秒数、コンテンツとしての動画の内容である広告ＣＭ素材の内容およびコンテンツ一致性を示す検討結果を表示するＣＭ放送確認書作成手段とを備えることを特徴とする放送配信監視システムを提供する。
【００１７】
本発明は、制作されたコンテンツにコンテンツのＩＤもしくはコンテンツのＩＤおよびスポンサーを示す制作時属性情報を電子透かしで埋め込む制作時属性情報埋め込み手段と、
電子透かしで埋め込まれた制作時属性情報を備えた前記コンテンツについて放送配信番組を生成する放送番組生成手段と、
生成された放送番組の放送配信時に、放送局、放送日、放送時刻、放送時間およびコンテンツＩＤを含めた放送時属性情報を電子透かしで、電子透かして埋め込まれた制作時属性情報に追記する形で埋め込む放送時電子透かし埋め込み手段と、を備えた放送配信監視システムの放送検証情報取得装置において、
制作時属性情報および放送時属性情報が電子透かしで埋め込まれた放送配信情報受信する受信手段と、
受信した放送配信情報から電子透かしを抽出して制作時属性情報および放送時属性情報を抽出する属性情報抽出手段と、
抽出された制作時属性情報および放送時属性情報から制作時および放送時のコンテンツＩＤが一致したコンテンツについての放送時の放送時情報を含めたコンテンツ一致検証結果情報を取得する放送検証情報取得手段と、
を備えて構成されることを特徴とする放送配信監視システムの放送検証情報取得装置を提供する。
【００１８】
本発明は、また、前記放送検証情報取得手段は、ＣＭの放送確認に際して放送時情報として放送事業者、放送日、ＣＭ秒数、ＣＭコード、ＣＭ素材の内容の各項目を含め、同一性検証結果を示す内容検証項目を含めて画面表示もしくは放送確認報告書を作成することを特徴とする放送配信監視システムの放送検証情報取得装置を提供する。
【００１９】
本発明は、制作されたコンテンツに電子透かしを埋め込み、該コンテンツについての放送配信出力を受信して電子透かしを検出し、該電子透かしから得られた情報に基づいて放送配信監視を行う放送配信監視システムを使用した放送配信監視方法において、
制作時属性情報埋め込み手段によって、制作されたコンテンツにコンテンツのＩＤもしくはコンテンツのＩＤおよびスポンサーを示す制作時属性情報を電子透かしで埋め込み、
放送番組生成手段によって、電子透かしで埋め込まれた制作時属性情報を備えた前記コンテンツについて放送配信番組を生成し、
放送時電子透かし埋め込み手段によって、生成された放送番組の放送配信時に、放送チャンネル、放送日、放送時刻、放送時間およびコンテンツＩＤを含めた放送時属性情報が電子透かしで、電子透かして埋め込まれた制作時属性情報に追記する形で埋め込み、
受信手段によって、制作時属性情報および放送時属性情報が電子透かしで埋め込まれたテレビ放送情報を受信し、
属性情報抽出手段によって、受信したテレビ放送情報から電子透かしを抽出して制作時属性情報および放送時属性情報を抽出し、
放送検証情報取得手段によって、抽出された制作時属性情報および放送時属性情報から制作時および放送時のコンテンツＩＤが一致したコンテンツについての放送時の放送時情報を含めたコンテンツ一致検証結果を取得する
ことを特徴とする放送配信監視方法を提供する。
【００２０】
本発明は、制作時属性情報埋め込み手段によって、制作されたコンテンツにコンテンツのＩＤもしくはコンテンツのＩＤおよびスポンサーを示す制作時属性情報を電子透かしで埋め込み、
放送番組生成手段によって、電子透かしで埋め込まれた制作時属性情報を備えた前記コンテンツについて放送配信番組を生成し、
放送時電子透かし埋め込み手段によって、生成された放送番組の放送配信時に、放送チャンネル、放送日、放送時刻、放送時間およびコンテンツＩＤを含めた放送時属性情報が電子透かしで、電子透かして埋め込まれた制作時属性情報に追記する形で埋め込み、を備えた放送検証情報取得方法において、
受信手段によって、制作時属性情報および放送時属性情報が電子透かしで埋め込まれた放送配信情報を受信し、
属性情報抽出手段によって、受信した放送配信情報から電子透かしを抽出して制作時属性情報および放送時属性情報を抽出し、
放送検証情報取得手段によって、抽出された制作時属性情報および放送時属性情報から制作時および放送時のコンテンツＩＤが一致したコンテンツについての放送時の放送時情報を含めたコンテンツ一致検証結果を取得する
ことを特徴とする放送検証情報取得方法を提供する。
【００２１】
本発明は、また、前記放送検証情報取得手段によって、ＣＭの放送確認に際して放送時情報として放送事業者、放送日、ＣＭ秒数、ＣＭコード、ＣＭ素材の内容の各項目を含め、同一性検証結果を示す内容検証項目を含めて画面表示もしくは放送確認報告書が作成されることを特徴とする放送配信監視方法における放送検証情報取得方法を提供する。
〔発明の効果〕
【発明の効果】
【００２２】
本発明によれば、生成された放送番組のテレビ放送時に、放送局、放送日、放送時刻、放送時間およびコンテンツＩＤを含めた放送時属性情報が電子透かしで、電子透かして埋め込まれた制作時属性情報に追記する形で埋め込むようにしているので、抽出された制作時属性情報および放送時属性情報から制作時および放送時のコンテンツＩＤが一致したコンテンツについての放送時の放送時属性情報を含めた放送形態情報が取得されることによって、放送配信したコンテンツが、いずれの放送配信者からいつ放送されたものであるかを簡便に抽出し、解析でき、各種コンテンツの同一性検証を容易に行うことができる。
【００２３】
本発明によれば、より具体的には同一性を確認したＣＭを放送した放送配信者の特定、ＣＭが何時、どれだけの時間放送されたかを簡便に監視し、報告することができる。
【００２４】
本発明によれば、更により具体的には放送配信者から放送したコンテンツ（番組あるいはＣＭ、双方を含む）について、過去の映像素材を不正使用者が流用する可能性をなくすことを含めて、不正にコピーされ二次利用される危険性をなくすことができる。
【発明を実施するための最良の形態】
【００２５】
以下、本発明の実施例を図面に基づいて説明する。
【実施例】
【００２６】
図１は、本発明の実施例の放送配信監視システムであるテレビ放送監視システムの全体システム構成を示す図である。
図１において、テレビ放送監視システム１００は、広告代理店／制作会社１１の施設、テレビ局１２の施設、放送検証機関（放送内容の検証を行う会社等）１３の施設および視聴者の施設１４から構成される。
【００２７】
広告代理店／制作会社１１は、リアルタイム動画電子透かし埋め込み機能付きＴＶカメラ１５を所有し、動画すなわちコンテンツを制作し、制作したコンテンツに制作時の属性情報を記録、すなわち電子透かし情報を埋め込む。コンテンツとしての動画には、ＣＭあるいは番組が含まれる。ＣＭの場合、制作されたＣＭは広告代理店あるいはスポンサー（スポンサー）に渡される。スポンサーとテレビ局１２との間にはＣＭ枠売買の契約があり、この契約に従ってテレビ局１２にＣＭ放映が委託される。
【００２８】
番組の場合、広告代理店／制作会社１１が番組制作会社となり、番組制作が番組制作会社に委託され、制作された番組はやはり契約に従ってテレビ局１２に渡される。
放送配信者の１つであるテレビ局１２は、以上のようにして放送用の番組あるいはＣＭ（番組およびＣＭの組み合わせを含んで使用する。）１６を確保する。
【００２９】
テレビ局１２は、このように確保した放送番組、ＣＭ１６と記憶媒体に格納した番組／ＣＭ送出予定情報１７とを番組／ＣＭバンクシステム１８に格納する。番組／ＣＭ送出予定情報１７が組み合わされて、または単独で放送番組、ＣＭ１６が生成され、生成された放送番組、ＣＭ１６に、リアルタイム動画電子透かし埋め込みシステム１７によって放送時の属性情報が記録、すなわち先に制作時に埋め込まれた電子透かし情報に追加する形で放送時属性情報が追記され、一体的なものとされる。
【００３０】
このようにして制作時属性情報に放送時属性情報が電子透かしによって情報追記の形で埋め込まれた放送番組、ＣＭはリアルタイムエンコーダー２０によって読み出され、放送送信システム２１を介してテレビ放送される。このように、テレビ局１２は、放送番組、ＣＭ１６および番組ＣＭ送出予定情報１７を有し、番組／ＣＭバンクシステム１８、リアルタイム動画電子透かし埋め込みシステム１９、リアルタイムエンコーダー２０および放送送信システム２１を備える。
【００３１】
放送送信システム２１から放送送信された放送番組、ＣＭは視聴者１４の施設であるテレビで受信される。放送番組、ＣＭは直接的に、あるいは動画投稿／配信システムで配信された放送番組、ＣＭを含むコンテンツは、放送検証機関１３の放送受信システム２３で受信される。また、放送送信システム２１から放送送信された放送番組、ＣＭは視聴者の１４の施設であるテレビで受信され、録画装置２７に録画され、パソコン２８に取り入れられる。録画装置２７あるいはパソコン２８に記録されたコンテンツが不正アップロードされて動画投稿／配信システム２９に配信される場合がある。
【００３２】
放送受信システム２３で受信された放送番組、ＣＭは、リアルタイム動画電子透かし抽出・解析システム２４によって制作・放送時のそれぞれの属性情報が電子透かし情報を使用することによって抽出され、更には抽出されたそれぞれの属性情報は解析されて制作・放送時の属性情報を現わす情報が取得される。このようにして取得された情報は、放送時の放送形態情報となる。すなわち、少なくとも抽出された制作時属性情報および放送時属性情報から制作時および放送時の電子透かしによるコンテンツＩＤがついた形での放送時の放送形態情報が取得される。このように、放送検証機関１３は、放送形態情報取得手段を備える。
【００３３】
取得された放送形態情報は、番組／ＣＭ配信状況ＤＢ（データベース）に蓄積、すなわち保存システム２５に保存される。保存された放送形態情報は、番組・ＣＭ確認報告書作成システム２６によって番組あるいはＣＭ確認報告書の作成に使用される。
【００３４】
このように、放送検証機関１３は、放送受信システム２３、リアルタイム動画電子透かし抽出・解析システム２４、保存システム２５および番組・ＣＭ確認報告書作成システム２６を備える。ここで「リアルタイム」は放送時にリアルタイムでということをビデオに収録したコンテンツについてリアルタイムでということを含む概念で使用する。
【００３５】
図２は、図１に示すテレビ放送監視システム１００の全体構成をブロックによって機器構成として示す。
【００３６】
広告代理店／制作会社１１は、カメラ３１、制作時属性情報埋め込み装置３２、編集装置３４および保存装置３５を備える。制作時属性情報埋め込み装置３２は制作時属性情報生成装置３３およびリアルタイム動画透かし埋め込み装置３４を含む。本例の場合、カメラ３１は、制作時属性情報埋め込み装置３２を備えており、制作されたコンテンツである動画にリアルタイムで電子透かしによって制作時の属性情報が埋め込まれる。従って、制作時属性情報生成装置３３およびリアルタイム動画透かし埋め込み装置３４を備えたカメラ３１は、図１におけるリアルタイム動画電子透かし埋め込み機能付きＴＶカメラ１５に該当することになる。
電子透かしが埋め込まれたコンテンツである動画は通常通りに編集装置３５によって編集され、保存される。
【００３７】
本例の場合、コンテンツである動画にリアルタイムで電子透かしによって制作時の属性情報を埋め込んでいるが、編集装置３５による編集時に埋め込むようにしてもよいし、あるいはカメラ３１による撮影時のリアルタイム埋め込みと編集時埋め込みの双方によって埋め込むようにしてもよい。いずれにしても、制作時電子透かし埋め込み手段が構成され、制作時電子透かし埋め込み手段によって制作されたコンテンツにコンテンツＩＤもしくはコンテンツＩＤおよびスポンサーを示す制作時属性情報が電子透かしで埋め込まれ、編集され、保存されることになる。
【００３８】
テレビ局１２は、番組バンクシステム４１、これに並列してＣＭバンクシステム４２、放送時属性生成装置４４およびリアルタイム動画透かし埋め込み（追記）装置４５を有する放送時属性情報埋め込み装置４３、エンコード装置４６および送出装置４７を備える。図１に示す構成との関連で、番組バンクシステム４１およびＣＭバンクシステム４２が番組／ＣＭバンクシステム１８に該当し、放送時属性情報埋め込み装置４３がリアルタイム動画電子透かし埋め込みシステム１９に該当し、エンコード装置４６がリアルタイムエンコーダー２０に該当し、送出装置４７が放送送信システム２１に該当する。
【００３９】
図１で説明したように、編集され、保存された放送番組、ＣＭは、番組／ＣＭ送出予定情報と共に、番組バンクシステム４１あるいはＣＭバンクシステム４２に格納される。これらバンクシステム４１、４２に格納された放送番組あるいはＣＭは、放送時属性情報埋め込み４３に取り出される。放送時属性情報埋め込み装置４３の放送時属性情報生成装置４４は、取り出した放送番組あるいはＣＭ独自の放送時属性情報である電子透かし情報を生成する。リアルタイム動画透かし埋め込み（追記）装置４５は、透かし埋め込み情報追記機能を有して、制作時に生成され、埋め込まれている制作時属性情報に追記する形で放送時属性情報である放送時電子透かし情報を形成する。
【００４０】
番組／ＣＭバンクシステム（データベース管理情報）４１，４２は、予め定められたタイムテーブルに基づいて、登録されている番組およびＣＭを送出する。放送開始時刻、放送終了時刻、放送する番組やＣＭコンテンツ等を管理する機能を持ち、１０桁ＣＭコードを使用する。
【００４１】
ＣＭコードは、管理センターが発番する広告事業者を特定する４桁のコードナンバー（固定）と、広告主が自社のＣＭ素材に独自の方法で付けた例えば６桁のコードナンバーを合わせた１０桁のコードを指す（図３）。
業界全体で重複のないコードが発行でき、現在は全ＣＭに付与されている。
【００４２】
本実施例では、この１０桁ＣＭコードを、電子透かしの「コンテンツＩＤ」として適用することで、機械的なＣＭコンテンツの同一性検証を実現する。
【００４３】
図２において、リアルタイム動画透かし埋め込み（追記）装置４６は、上述したようにして形成された放送時電子透かし情報を制作した時電子透かし情報に追記する形でコンテンツである動画に埋め込まれる。
【００４４】
制作時電子透かし情報および放送時電子透かし情報が埋め込まれたコンテンツは、エンコーダ装置４６によってリアルタイムで読み出され、送出装置４７から外部に送出、すなわちＴＶ放送される。
【００４５】
放送検証機関１３は、放送受信装置５１、リアルタイム動画透かし抽出装置５３、埋め込み情報解析装置５４を有する制作時／放送時属性情報抽出・解析装置５２、保存装置５５、および番組・ＣＭ確認報告書作成装置５６を備える。図１に示す構成との関連で、放送受信装置５１が放送受信システム２３に該当し、制作時／放送時属性情報抽出・解析装置５２がリアルタイム動画電子透かし抽出・解析システム２４に該当し、保存装置５５が保存システム２５に該当し、番組・ＣＭ確認報告書作成装置５６が番組・ＣＭ確認報告書作成システム２６に該当する。
【００４６】
放送されたコンテンツは、放送検証機関１３の放送受信装置５１で受信される。また、放送されたコンテンツは、視聴者／動画配信機関１４の受信装置６１で受信される。受信装置６１で受信されたコンテンツは録画装置６２に録画され、エンコード装置６３によってエンコードされ、アップロード装置６４でアップロードされる。この場合に、不正にアップロードされる場合がある。アップロードされたコンテンツは、動画配信装置６５に配信される。動画配信装置６５は動画蓄積装置６６および配信装置を備え、配信されたコンテンツは放送受信装置５１で受信される。受信されたコンテンツは、リアルタイム動画透かし抽出装置５３に抽出され、ついで埋め込み情報解析装置５４が送出され、解析される。
【００４７】
放送されたコンテンツをビデオとして取得し、ビデオ情報についてリアルタイムで抽出・解析するようにしてもよい。
【００４８】
リアルタイム動画透かし抽出装置５３は、放出されたコンテンツである動画に埋め込まれた電子透かし情報をリアルタイムで抽出する。電子透かし情報は、制作時電子透かし情報に放送時電子透かし情報が追記された形で抽出される。
【００４９】
埋め込み情報解析装置５４は、取得されたコンテンツに埋め込まれた制作時電子透かし情報および放送時電子透かし情報について、後述するようにコンテンツＩＤ、コンテンツの一致性、放送局、放送日、放送時刻および放送時間並びにスポンサーについて解析する。
【００５０】
解析された、あるいは抽出された情報は、制作時属性情報および放送時属性情報から制作時および放送時のコンテンツＩＤ、双方のコンテンツＩＤ一致、放送局、放送日、放送時刻および放送時間並びにスポンサーについての情報が保存装置５５に格納される。
【００５１】
番組・ＣＭ確認報告書作成装置５６は、格納され、保存されている。上述の情報を用いて番組あるいはＣＭについての確認報告書の作成を行うことになる。
【００５２】
図４は、制作時属性情報（図４（ａ））および放送時属性情報（図４（ｂ））を表わす図である。
図４（ａ）において、制作時属性情報６１は、例えば制作日時６２、制作会社／広告代理店ＩＤ６３、種別ＩＤ６４およびコンテンツＩＤ６５から構成される。制作日時は、例えば制作時刻の年月日時分秒で表わされ、３２ｂｉｔ（ビット）構成とする。制作会社／広告代理店ＩＤ６３は１４ｂｉｔとされて約１６，０００社を格納し、種別ＩＤ６４は、例えばＣＭであることを示す００、番組０１とされ、２ｂｉｔ構成とする。制作会社ＩＤ６４は、約１０００社を対象として１０ｂｉｔで構成する。コンテンツＩＤ６５は、約１，８４５京コンテンツを対象として８０ｂｉｔで構成する。ＣＭの場合は、１０桁ＣＭコードとされる。このような項目についての生成された制作時属性情報が動画制作時のカメラ３１による撮影時に、カメラ３１に付随された制作時属性情報生成装置３２によってリアルタイムで計測される制作日時６１と共に電子透かしによって電子透かし情報として動画であるコンテンツ内に埋め込まれる。コンテンツＩＤにはコンテンツＩＤ自体に加えてスポンサー情報が加えられてもよい。
【００５３】
図４（ｂ）において、放送時属性情報６６は、放送日時６７、地域ＩＤ６８、テレビ局ＩＤ６８、種別７０およびコンテンツＩＤ７１から構成される。放送日時６７は、例えば放送日時の年月日時分秒で表わされ、３２ｂｉｔ構成とする。地域ＩＤ６８は、４７都道府県および衛星放送を加えて６ｂｉｔで構成する。テレビ局ＩＤ６９は、２５６社を８ｂｉｔで構成する。コンテンツＩＤ７１は、約１００万コンテンツを対象として２０ｂｉｔで構成する。種別６８は、例えばＣＭであることを示す１０とされ、放送番組の場合には放送番組であることを示す１１とされる。このような項目についての放送時属性埋め込み装置４３によって生成され、放送時に、透かし埋め込み情報追記機能を有するリアルタイム動画透かし埋め込み（追記）装置４５によって制作時属性情報に追記される形で動画であるコンテンツ内に埋め込まれる。埋め込みの際には、暗号化を行うなどして不正続出しおよび改ざんを防止するようにしてもよい。
【００５４】
予め定められたタイムテーブルに基づいて、登録されている放送番組およびＣＭの送出、放送開始時刻、放送終了時刻、放送する放送番組およびＣＭの管理は、上述した生成されたビット列によって電子透かし埋め込み情報（属性情報１２８ｂｉｔ）からなされる。
【００５５】
制作されたコンテンツにコンテンツＩＤもしくはコンテンツのＩＤおよびスポンサーを示す制作時属性情報を電子透かしで埋め込む制作電子透かし埋め込み手段と、電子透かしで埋め込まれた制作時属性情報を備えた前記コンテンツについてテレビ放送番組を生成する放送番組生成手段と、生成された放送番組のテレビ放送時に、放送局、放送日、放送時刻、放送時間およびコンテンツＩＤを含めた放送時属性情報が電子透かしで、電子透かしで埋め込まれた制作時属性情報に追記する形で埋め込む放送時電子透かし埋め込み手段と、が構成される。
【００５６】
図５は、制作時属性情報のＩＤ管理テーブルを示す。このＩＤ管理テーブルは広告代理店、制作会社で定義され、このＩＤ管理テーブルを用いて、制作した放送番組またはＣＭであるコンテンツ情報に基づき埋め込むべき属性情報（１２８ｂｉｔ）を生成する。
【００５７】
図に示すように、区分１で制作会社／広告代理店ＩＤが、区分２で種別ＩＤが、区分３でコンテンツＩＤが定義され、それぞれＩＤ値、意味で定義される。例えば、これによって〇〇社、制作時ＣＭ、Ａ社洗濯機、Ｂ社冷蔵庫が定義される。あるいは、制作時放送番組、ぶらり旅（Ｃテレビ局納品）、日本の車窓（Ｄテレビ局納品）が定義され、格納される。
【００５８】
図６は、放送時属性情報のＩＤ管理テーブルを示す。このＩＤ管理テーブルはテレビ局で定義され、このＩＤ管理テーブルを用いて、番組／ＣＭバンクシステムの情報に基づき、埋め込むべき属性情報（１２８ｂｉｔ）を生成する。図に示すように、区分１で地域ＩＤが、区分２でテレビ局ＩＤが、区分３で種別ＩＤが、区分４でコンテンツＩＤが定義され、それぞれＩＤ値、意味で定義される。例えば、これによって東京都、Ｄテレビ局、放送時ＣＭ、Ｂ社冷蔵庫、Ｅ社テレビが定義される。あるいは放送時放送番組、日本の車窓（Ｄテレビ局納品）、テレビ小説「〇〇」が定義され、格納される。
【００５９】
ＣＭに関しては、制作時から放送時まで一貫した、明確な統一コードの体系が存在するため、それを用いれば機械的な同一性検証は容易となる。
【００６０】
しかしながら、番組に関しては、そのような体系は無く、制作時と放送時にそれぞれ異なる体系に基づくＩＤ管理テーブルが構築されると考えられるため、同一番組であっても、コンテンツＩＤが同一になるとは限らない。故に、番組に関して機械的なコンテンツの同一性検証のためには、コンテンツＩＤを制作時と放送時で統一し、または「（ａ）制作時属性情報」と「（ｂ）放送時属性情報」の両方のＩＤ管理テーブルを用いて、それぞれのＩＤが示す「意味（番組名称など）」同士を比較することを行う。
【００６１】
電子透かしの追記について説明する。
図７は、電子透かしの追記の考え方を示し、図７（１）は時分割方式によって、図７（２）は領域分割方式によって制作時属性情報に放送時属性情報を追記する形で属性情報を形成し、埋め込む方法を示す。時分割方式によってあるいは領域分割方式によって埋め込むこと自体は公知である。
【００６２】
図７（１）は、時分割方式、すなわちフレームを分割する方式である。フレームが６フレームから構成され、１フレームから６フレームが時間軸方向に並んでいる時に、
・奇数フレームは制作時の属性情報を埋め込み
・偶数フレームは放送時の属性情報を埋め込み
または
・１〜５フレームは制作時の属性情報を埋め込み
・６〜１０フレームは放送時の属性情報を埋め込み
・以降、５フレームずつ繰り返して埋め込む
関係主体の増加により、二分割以上も可能とする。
【００６３】
図７（２）は、領域分割方式、すなわちフレーム内領域分割する方式である。
・フレームの上半分に制作時の属性情報を埋め込み
・フレームの下半分に放送時の属性情報を埋め込み
上記を全フレームに適用する。
関係主体の増加により、二分割以上も可能である。
【００６４】
図８は、他の電子透かしの追記の考え方を示し、図８（３）は、周波数分割方式（空間周波数の分割）によって、図８（４）は、輝度／色分割方式によって制作時属性情報に放送時属性情報を追記する形で属性情報を形成し、埋め込む方法を示す。これらの方式は、埋め込み方法自体を示すものとしては公知である。
【００６５】
図８（３）に示す方法は次の通りである。
・ウェーブレット変換やＤＣＴ変換などにより、透かし情報を埋め込むための、画面全体
を構成する空間周波数領域を変えることによって同一フレーム内に追記
・関係主体の増加により、二分割以上も可能とする
【００６６】
図８（４）に示す方法は次の通りである。
・一般的に電子透かし技術はピクセル毎の輝度成分に情報を埋め込むが、輝度とは独立し
た色成分に、電子透かしを追記
・原理上、二分割以上は不可である
・但し、（１）または（２）との併用で二分割以上も可能とする
このように、制作時属性情報および放送時属性情報が電子透かしで埋め込まれたテレビ放送情報を受信する受信手段によって、制作時属性情報および放送時属性情報が受信され、受信したテレビ放送情報から電子透かしを抽出して制作時属性情報および放送時属性情報を抽出する属性情報抽出手段によって、制作時属性情報および放送時属性情報が抽出され、抽出された制作時属性情報および放送時属性情報から制作時および放送時のコンテンツＩＤが一致したコンテンツについての放送時の放送時属性情報を含めた放送形態情報を取得する放送形態情報取得手段によって、放送時の放送時属性情報を含めた放送形態情報が取得される。
【００６７】
図１１は、制作時と放送時にそれぞれ埋め込んだ電子透かし（属性情報）の比較検証によって同一性判定（検証）を行う方法を示す。
図１１に示すように、制作時の属性情報および放送時の属性情報が、制作時の属性情報に放送時の属性情報が追記する形で埋め込まれ、ＴＶ放送される。ＴＶ放送されたコンテンツからそれぞれの電子透かしを利用して制作時属性情報および放送時属性情報が抽出される。
【００６８】
抽出された制作時の属性情報と放送時の属性情報が比較され、放送の同一性が判定、すなわち検証される。このように、制作したコンテンツと放送されたコンテンツの比較（同一性検証）によって、正しい内容でコンテンツが放送されたかを第三者でする放送検証機関が機械的に判別することができる。この場合に、制作時の属性情報に放送時の属性情報を追加する形での埋め込み方法の採用によって両コンテンツの機械的な同一性検証が可能となる。
【００６９】
属性情報がコンテンツと切り離されている場合、あるいは制作時の属性情報、放送時の属性情報のいずれかで同一性検証しようとしても人手が必要となって同一性検証を機械的に簡便に行うことができない。
【００７０】
図９に示す方法は、例えば次に示すような場合に有効に採用される。
例１）その時間、Ａ社のＣＭを流すべきところ、ＣＭバンクシステムの登録を誤り、Ｂ社
のＣＭを流してしまったことを、放送検証機関が判定可能。
例２）その時間、ドラマの３話を流すべきところ、番組バンクシステムの登録を誤り、ド
ラマの４話を先に放送してしまったことを、放送検証機関が判定可能。
【００７１】
図１０は、制作時と放送時に、それぞれ埋め込んだ電子透かし（属性情報）を用いて不正配信（正当な配信を含む）との比較検討によって同一性判定（検証）を行う方法を示す。
【００７２】
制作時属性情報および放送時属性情報が抽出されるのは図９に示す方法と同様である。図１０に示す場合、更に不正配信によって、あるいは正当な配信による配信情報が受信装置６１によって取得される。図では不正配信情報の例を示す。このようにして取得された各種情報の各種の比較が可能になる。例えば、制作時の属性情報および放送時の属性情報と不正配信情報との比較であり、放送時の属性情報と不正配信情報との比較であり、あるいは制作時の属性情報と不正配信情報との比較である。配信に、放送による配信を含めることによって更に比較の幅が広がる。このように、本実施例によれば、汎用性のある比較方法を提供することができる。
【００７３】
図１５に示す方法は、例えば次に示すような場合に有効に採用される。
例１）あるテレビ局の人気番組が、インターネット上の動画配信サイトに不正投稿され
ていることを、放送検証機関が判定可能。
【００７４】
また、本実施例によれば、図９に示す比較方法と図１０に示す比較方法を併用するようにして更に汎用性を持たせることができる。
【００７５】
図１１は、放送検証結果報告の１例を示す。先に説明したように、制作時／放送時属性情報抽出・解析装置５２によって形成される放送形態情報取得手段によって制作時および放送時のコンテンツＩＤが一致すると判定されたコンテンツ情報が取得されると、放送番組、ＣＭ確認報告書５６によって放送検証結果報告書が作成される。
【００７６】
この放送結果は、図９に示すように、画面イメージとして表示され、その後報告書の形で出力される。画面には、放送受信ステータス、受信中の映画、番組／ＣＭ検出ステータスおよび検出履歴一覧が表示される。
【００７７】
検出履歴一覧には、放送時の放送情報としての日付、開始、終了、種別、内容が示され、更にコンテンツについての検証結果が示され、内容にはコンテンツＩＤが示され、検証にはコンテンツ同一性検証結果が  ＯＫ  ｏｒ  ＮＧ  の記号で示される。
「検索」に触れることによってスポンサー毎のＣＭ情報に絞込みが可能とされ、「確認結果」に触れることによって放送確認報告書が出力可能とされている。
【００７８】
図１２は、ＣＭについての放送確認報告書の１例を示す。この放送確認報告書はスポンサー毎に作成される。
放送確認報告書も画面イメージとして表示される。放送確認報告画面は、直ちに放送確認書とすることができる。
【００７９】
画面には、放送時の放送情報としての放送事業者、放送日、放送時間、ＣＭ秒数、１０桁ＣＭコード、ＣＭ素材の内容（ＣＭの内容）が示され、更にコンテンツについての内容検証結果が表示される。
ＣＭ素材の内容は１０桁のＣＭコードが示す商品の表示であり、内容検証結果は同一性検証結果に対応して  ＯＫ  ｏｒ  ＮＧ  が表示される。
【００８０】
以上のように、放送検証情報取得手段は、ＣＭの放送確認に際して放送時情報として放送事業者、放送日、ＣＭ秒数、１０桁ＣＭコード、ＣＭ素材の内容の各項目を含め、同一性検証結果を示す内容検証項目を含めて画面表示もしくは放送確認報告書を作成することを行う。ただし、ＣＭコードは１０桁に限定されない。
【００８１】
図１２に示す放送確認報告書には、放送番組中のＣＭが挿入される位置を示す枠区分（タイム・ＰＴ・ＳＢの３パターンがあり、よく知られている）およびタイムランク区分が表示されるようにしてもよい。タイムランク区分は、放送広告料金の基準のための時間区分を示す。これらの内容を表示するには、予めデータベースにＣＭについての枠区分およびタイムランク区分を格納しておいて、検出履歴一覧に対応して区分していくことになる。
【００８２】
図１３は、放送番組についての放送確認報告書の１例を示す。この放送確認報告書は、例えばスポンサー毎に作成される。
放送確認報告書も画面イメージとして表示される。
【００８３】
画面には、放送時の放送情報としての放送事業者、放送日、放送時間、コンテンツの内容としての番組分数、番組ＩＤおよび番組の内容が示され、更にコンテンツについての内容検証結果（内容検証）が表示される。
【００８４】
図１４は、本発明の実施例のフローチャートを示す。
図１４においてフローチャートは、（１）番組／ＣＭ制作時フローチャート、（２）番号／ＣＭ放送時フローチャートおよび（３）放送検証時のフローチャートからなる。
（１）番組／ＣＭ制作時フローチャートにおいて、対応カメラの撮影（録画）ボタンを押
下げ（Ｓ１１）る。この時埋め込み情報を動的に生成し（Ｓ１２）、リアルタイム
動画電子透かし埋め込み処理（Ｓ１３）によって制作時属性情報を電子透かしで埋
め込む。撮影した素材を編集、番組またはＣＭを保存する（Ｓ１５）。
（２）番組／ＣＭ放送時のフローチャートにおいて、番組／ＣＭバンクに番組またはＣＭ
を登録する（Ｓ２１）。番組／ＣＭバンクから番組またはＣＭの送出を開始する
（Ｓ２２）。この時に、埋め込み情報を動的に生成し（Ｓ２３）、制作時埋め込み
情報に、放送時埋め込み情報の追記を行う形で、リアルタイム動画電子透かし埋め
込み処理によって放送時埋め込み情報を制作時埋め込み情報にコンテンツである動
画に埋め込む（Ｓ２４）。
放送形式に合わせてエンコードして（Ｓ２５）、エンコードされた番組またはＣＭ
を放送する（Ｓ２６）。
（３）放送検証時のフローチャートにおいて、放送されている番組またはＣＭを受信する
（Ｓ３１）。リアルタイム動画電子透かし抽出処理を行い（Ｓ３２）、制作時、放
送時の属性情報を取得し（Ｓ３３）、制作時、放送時の属性情報を比較検証するこ
とによってコンテンツＩＤの一致性を判定し（Ｓ３４）、放送確認情報の蓄積を行
う（Ｓ３５）。蓄積された放送確認情報から番組・ＣＭ確認報告書の作成を行う
（Ｓ３６）。
【００８５】
本発明の実施例によれば、
制作時電子透かし埋め込み手段によって、制作されたコンテンツにコンテンツのＩＤもしくはコンテンツのＩＤおよびスポンサーを示す制作時属性情報を電子透かしで埋め込み、
放送番組生成手段によって、電子透かしで埋め込まれた制作時属性情報を備えた前記コンテンツについてテレビ放送番組を生成し、
放送時電子透かし埋め込み手段によって、生成された放送番組のテレビ放送時に、放送チャンネル、放送日、放送時刻、放送時間およびコンテンツＩＤを含めた放送時属性情報が電子透かしで、電子透かして埋め込まれた制作時属性情報に追記する形で埋め込み、
受信手段によって、制作時属性情報および放送時属性情報が電子透かしで埋め込まれたテレビ放送情報を受信し、
属性情報抽出手段によって、受信したテレビ放送情報から電子透かしを抽出して制作時属性情報および放送時属性情報を抽出し、
放送形態情報取得手段によって、抽出された制作時属性情報および放送時属性情報から制作時および放送時のコンテンツＩＤが一致したコンテンツについての放送時の放送時属性情報を含めた放送形態情報を取得することによって、次のようなメリットが取得される。
【００８６】
◆スポンサーに関するメリット
・実際に放送されたＣＭの放送状況に応じて、正確なスポンサー料の支払いが可能
◆テレビ局に関するメリット
・正確かつ迅速なＣＭの放送確認手段により正当な情報をスポンサーに提供可能
・番組の不正な二次利用を確認可能
・リアルタイム透かし埋め込みにより、生放送での透かし埋め込みにも対応
・放送・インターネット等の形態によらず、同一方式で対応可能
・ＣＭ確認と番組保護を、同一技術で同時に解決可能
◆放送検証機関に関するメリット
・チェックを自動化でき、効率的な放送確認を行うことが可能
【図面の簡単な説明】
【００８７】
【図１】本発明の実施例の全体システム構成を示す図。
【図２】本発明の実施例の構成をブロックで示す図。
【図３】１０桁のコードの例でＣＭを示す図。
【図４】制作時属性情報および放送属性情報の構成を示す図。
【図５】制作時属性情報のＩＤ管理テーブルを示す図。
【図６】放送時属性情報のＩＤ管理テーブルを示す図。
【図７】制作時属性情報に放送時属性情報を追記する方法を示す図。
【図８】制作時属性情報に放送時属性情報を追記する他の方法を示す図。
【図９】比較検証の例を示す図。
【図１０】比較検証の他の例を示す図。
【図１１】放送検証結果報告の例を示す図。
【図１２】放送検証結果報告の他の例を示す図。
【図１３】放送検証結果報告の他の例を示す図。
【図１４】本発明の実施例のフローチャートを示す図。
【符号の説明】
【００８８】
１１…制作会社、１２…テレビ局、１３…放送検証機関、１４…視聴者、１５…リアルタイム動画電子透かし埋め込み機能付きＴＶカメラ、１６…放送番組、ＣＭ、１８…番組／ＣＭバンクシステム、１９…リアルタイム動画電子透かし埋め込みシステム、２０…リアルタイムエンコーダー、２１…放送送信システム、２３…放送受信システム、２４…リアルタイム動画電子透かし抽出・解析システム、２５…保存システム、２６…番組・ＣＭ確認報告書作成システム、３１…カメラ、３２…制作時属性情報生成装置、３３…制作時属性情報生成装置、３４…リアルタイム動画透かし埋め込み装置、４１…番組バンクシステム、４２…ＣＭバンクシステム、４３…放送時属性情報埋め込み装置、４４…放送時属性情報生成装置、４５…リアルタイム埋め込み（追記）装置、４７…送出装置、５１…放送受信装置、５２…制作時／放送時属性情報抽出・解析装置、５３…リアルタイム電子透かし抽出装置、５４…埋め込み解析装置、５６…番組・ＣＭ確認報告書作成装置、１００…テレビ放送監視システム（放送配信監視システム）。
【図１】
0005258243.tif 000002
【図２】
0005258243.tif 000003
【図３】
0005258243.tif 000004
【図４】
0005258243.tif 000005
【図５】
0005258243.tif 000006
【図６】
0005258243.tif 000007
【図７】
0005258243.tif 000008
【図８】
0005258243.tif 000009
【図９】
0005258243.tif 000010
【図１０】
0005258243.tif 000011
【図１１】
0005258243.tif 000012
【図１２】
0005258243.tif 000013
【図１３】
0005258243.tif 000014
【図１４】
0005258243.tif 000015